(57)【要約】      （修正有）【課題】ハンガー等を一時的に掛けやすい収納室用棚板を提供する。【解決手段】建造物の収納室に設置される棚板１０であって、棚部２０によって水平面を構成し、棚部２０における前面近傍から前框部４０を下方向に延びるように配置し、載置面２２における前面縁２２の近傍において、幅方向に延び、前面側３０Ａが高く且つ奥側３０Ｂが低くなる段部３０を有する。【選択図】図２
0003194860.tif 000002
【実用新案登録請求の範囲】
【請求項１】
建造物の収納室に設置され、該収納室内の空間を上下に分割する棚板であって、
水平面を構成する棚部と、
前記棚部における前面近傍から下方向に延びる前框部と、
を備え、
収容物が載置される載置面における前面縁の近傍において、幅方向に延び、前面側が高く且つ奥側が低くなる段部を有することを特徴とする収納室用棚板。
【請求項２】
前記段部は、前記載置面を基準にして下側に凹となる溝であることを特徴とする、
請求項１に記載の収納室用棚板。
【請求項３】
前記溝は、断面鋸刃形状、断面Ｖ字形状、及び断面部分円弧形状のいずれかであることを特徴とする、
請求項２に記載の収納室用棚板。
【請求項４】
前記溝は、手前側が略鉛直となる面で奥側が傾斜面となる断面鋸刃形状であることを特徴とする、
請求項３に記載の収納室用棚板。
【請求項５】
前記棚部は水平に配置される板部材であり、
前記前框部は、前記棚部の手前側端面に固定されて上下方向に延び、上端面が前記載置面の一部を構成する板部材であり、
前記棚部の前記手前側端面と前記前框部の境界に前記段部が形成されることを特徴とする、
請求項１乃至４のいずれかに記載の収納室用棚板。
【請求項６】
前記前框部は、前記棚部の手前側端面及び手前側底面の双方に当接する断面略Ｌ字形状の部材であることを特徴とする、
請求項１乃至５のいずれかに記載の収納室用棚板。
【請求項７】
前記前框部の前記板部材の上端面が、前記棚部の上面から上方に突出することで、前記棚部と前記前框部の境界に前記段部が形成されることを特徴とする、
請求項４に記載の収容室用棚板。
【請求項８】
前記前框部の下端面における奥側縁に、奥側に向かって上方に傾斜する傾斜面が形成されることを特徴とする、
請求項１乃至７のいずれかに記載の収納室用棚板。
【請求項９】
前記載置面から前記前框部の下端面までの上下方向寸法が、５センチメートル以下であることを特徴とする、
請求項１乃至８のいずれかに記載の収納室用棚板。
【考案の詳細な説明】
【技術分野】
【０００１】
本考案は、マンションや戸建て住宅等における押入れやクローゼットに利用される棚板に関する。
【背景技術】
【０００２】
マンションや戸建て住宅等の建造物には、押入やクローゼット等の収納室が設けられる。この収納室には、整理し易さ等の為に中棚等の棚板が取り付けられる。従来、この種の棚板は、水平面を構成する棚部と、その棚部の前面に補強の為に鉛直方向に設置される前框等から構成される。なお、板の素材としては、木製合板、その木製合板の表面に突板を張り付けた天然化粧合板、木製合板に樹脂を塗布してフィルムを張り付けた木製化粧合板、メラミン樹脂やフェノール樹脂を紙に含浸させて積層形成したプラスチック合板等が用いられる（例えば、特許文献１参照）。
【０００３】
また近年、収容室の利用方法の多様化が進み、例えば、棚板の底面（裏面）側にパイプハンガーラックを設置することも行われている。これにより棚板の下段がハンガーラックとなるので、洋服をハンガーにかけたまま収容できる（例えば特許文献２参照）。
【先行技術文献】
【特許文献】
【０００４】
【特許文献１】実用新案登録３０５１６９４号
【特許文献２】実開平７−３４７４７号
【考案の概要】
【考案が解決しようとする課題】
【０００５】
日常生活においては、洋服を脱いでパイプハンガーにかけるよりも、一時的に簡易な場所に掛けておきたい場合が多い。また、洋服を選ぶためにハンガーにかけたまま並べてみたい場合や、雨に濡れてしまった洋服を一時的に乾かしたい場合もある。このような時に、棚板の裏面に設置したパイプハンガーラックは利用できないという問題があった。
【０００６】
本考案は、斯かる実情に鑑み、ハンガー等を一時的に掛ける際に好適な棚板を提供しようとするものである。
【課題を解決するための手段】
【０００７】
上記課題を解決する手段は、建造物の収納室に設置され、該収納室内の空間を上下に分割する棚板であって、水平面を構成する棚部と、前記棚部における前面縁から下方向に延びる前框部と、を備え、収容物が載置される載置面における前記前面縁の近傍において、幅方向に延び、前面側が高く且つ奥側が低くなる段部を有することを特徴とする収納室用棚板である。
【０００８】
上記収納室用棚板に関連して、前記段部は、前記載置面を基準にして下側に凹となる溝であることを特徴とする。
【０００９】
上記収納室用棚板に関連して、前記溝は、断面鋸刃形状、断面Ｖ字形状、及び断面部分円弧形状のいずれかであることを特徴とする。
【００１０】
上記収納室用棚板に関連して、前記溝は、手前側が略鉛直となる面で奥側が傾斜面となる断面鋸刃形状であることを特徴とする。
【００１１】
上記収納室用棚板に関連して、前記棚部は水平に配置される板部材であり、前記前框部は、前記棚部の手前側端面に固定されて上下方向に延び、上端面が前記載置面の一部を構成する板部材であり、前記棚部の前記手前側端面と前記前框部の境界に前記段部が形成されることを特徴とする。
【００１２】
上記収納室用棚板に関連して、前記前框部は、前記棚部の手前側端面及び手前側底面の双方に当接する断面略Ｌ字形状の部材であることを特徴とする。
【００１３】
上記収納室用棚板に関連して、前記前框部の前記板部材の上端面が、前記棚部の上面から上方に突出することで、前記棚部と前記前框部の境界に前記段部が形成されることを特徴とする。
【００１４】
上記収納室用棚板に関連して、前記前框部の下端面における奥側縁に、奥側に向かって上方に傾斜する傾斜面が形成されることを特徴とする。
【００１５】
上記収納室用棚板に関連して、前記載置面から前記前框部の下端面までの上下方向寸法が、５センチメートル以下であることを特徴とする。
【考案の効果】
【００１６】
本考案によれば、棚板の前面縁を利用して、ハンガーの先が滑り落ちる事なく、ハンガー等を簡易に引っ掛けることが可能となり、収納室における棚板の利便性を飛躍的に向上させることができるという優れた効果を奏し得る。
【図面の簡単な説明】
【００１７】
【図１】本実施形態の収納用棚板の全体構成を示す斜視図である。
【図２】（Ａ）及び（Ｂ）は同収納用棚板を部分的に拡大して示す断面図である。
【図３】同収納用棚板にハンガーを掛けた状態を拡大して示す断面図である。
【図４】（Ａ）乃至（Ｄ）は同収納用棚板の応用例を部分的に拡大して示す断面図である。
【図５】（Ａ）乃至（Ｃ）は同収納用棚板の応用例を部分的に拡大して示す断面図である。
【考案を実施するための形態】
【００１８】
以下、本考案の実施の形態を、添付図面を参照して説明する。
【００１９】
図１には、建造物の収納室１の中棚として設置される収納室用棚板（以下棚板という）１０が示されている。なお、説明用の方向定義として、収納室１の取出し口２側を手前とし場合に、矢印Ａで示すのが奥行き方法、矢印Ｗで示すのが幅方向、矢印Ｈで示すのが上下方向（高さ方向）とする。
【００２０】
棚板１０は、収納室１の奥側内壁３と側面内壁４に固定される。棚板１０は、水平面を構成する棚部２０と、棚部２０における前面近傍から下方向に延びる前框部４０を備えて構成される。なお、板の素材としては、薄くカットした単板を積層したり木製チップを樹脂で固めたりした木製合板、その木製合板の表面に突板を張り付けた天然化粧合板、木製合板に樹脂を塗布等して塩ビやオレフィンフィルムを張り付けた木製化粧合板、メラミン樹脂やフェノール樹脂を紙に含浸させて積層形成したプラスチック合板等が用いられる。また棚板１０の中で、棚部２０と前框部４０の素材を異ならせることもできる。いずれにしろ、本考案においては、棚板１０の素材は特に限定されるものではない。
【００２１】
図２（Ａ）に、棚板１０の前面近傍を拡大して示す。棚板１０は、収容物が載置される載置面２２における前面縁２６の近傍に段部３０を有する。段部３０は幅方向Ｗに延び、前面側３０Ａが高く且つ奥側３０Ｂが低くなる。
【００２２】
棚板１０の棚部２０は、奥行き方向Ａ及び幅方向Ｗに広がって水平に配置される板部材である。棚部２０の板厚ＴＨは、３センチメートル以下が好ましく、１．５〜２．５センチメートルの範囲内に設定される。前框部４０は、棚部２０の板部材の手前側端面２８及び手前側底面２９に当接するように固定される断面略Ｌ字形状であって、上下方向Ｈに延びて手前側端面２８を覆う部材となっている。なお、ここでは前框部４０を断面Ｌ字形状にして、棚部２０の手前側底面２９を支えることで棚部２０の強度を保つようにしているが、本考案はこれに限定されず、断面長方形の板部材を手前側端面２８に強固に固定しても良い。
【００２３】
段部３０は、載置面２２における棚部２０と前框部４０の境界に形成される。この段部３０は、載置面２２を基準にして下側に凹となり、いわゆる溝を構成している。従って、載置面２２を全体視すれば、そこには突起が無いので、収納物を滑らかに出し入れすることが可能となる。
【００２４】
更に本実施形態では、この段部（溝）３０の形状が断面鋸刃形状となっている。段部３０は、手前側が略鉛直となる鉛直面３２で、奥側が傾斜面３４となる鋸刃形状である。傾斜面３４は、棚部２０の手前側端面２８の角を切り欠くようにして形成される。鉛直面３２は、前框部４０の側面をそのまま利用している。このように、段部３０を棚部２０と前框部４０の境界に形成することで、製造コストを大幅に削減しつつ、利便性の高い断面形状を創出している。従って、図３に示すように、ハンガー８０をこの段部３０に引っ掛けると、段部３０とハンガー８０が奥行き方向Ａに係合し、ハンガー８０が棚板１０から落下しない。とりわけ本実施形態では、前框部４０の鉛直面３２が係合するので、より一層、ハンガー８０が落下しにくい構造となっている。なお、傾斜面３４に沿ってハンガー８０を一旦奥側にスライドさせれば、ハンガー８０を段部３０から簡単に開放することができる。
【００２５】
図２に戻って、棚板１０は、前框部４０の最大高さ、即ち、載置面２２から前框部４０の下端面４２までの上下方向Ｈの寸法ＫＨが、６センチメートル以下となっており、４〜６センチメートルが好ましく、具体的には４．５センチメートルにしている。このようにコンパクトにすると、図３に示すように、ハンガー８０の肩部との干渉が抑制されると共に、棚板１０の下側の収納空間の出し入れ口を広く確保することができる。
【００２６】
更に前框部４０の下端面４０における奥側縁には、奥側に向かって上方に傾斜する傾斜面４６が形成される。図２（Ｂ）に示すように、下端面４０に傾斜面４６を形成すると、棚板１０の下段の収容空間を利用者が覗き込んだ際に、あたかも前框部４０の板厚が薄くなったような錯覚を受けるので、収容空間を広く感じさせることができる。なお、前框部４０の下端面４０側の奥行き方向最大寸法ＫＡ１は、４センチメートルから２センチメートルの範囲内が好ましく、ここでは３センチメートルに設定しているが、このように比較的肉厚にしても、傾斜面４６の存在によって収容空間を広く感じさせている。一方、前框部４０の上端面４８側の奥行き方向最大寸法ＫＡ２は、０．５センチメートルから２センチメートルの範囲内が好ましく、ここでは１〜１．５センチメートルに設定される。このようにすると、段部２０が比較的手前側に近くなるので、ハンガー８０等が掛けやすい。更に、図３に示すようなハンガー８０が揺動した際や、下段内の収容物を取り出す際においても、傾斜面４６によって、干渉を低減することができる。特に本実施形態では、載置面２２から前框部４０の下端面４２までの上下方向Ｈの寸法ＫＨを５センチメートル以下としていることから、下段の収容空間をより広く活用できることになる。
【００２７】
なお、上記実施形態では、段部３０を、手前側に鉛直面３２、奥側に傾斜面３４が位置する断面鋸刃形状としたが、本考案はこれに限定されない。例えば図４（Ａ）に示すように、段部３０を、奥側に鉛直面３２、手前側に傾斜面３４が位置する断面鋸刃形状とすることもできる。この場合は、棚部２０の板部材の手前側端面２８で鉛直面３２を構成し、前框部４０の上端面４８の一部を切り欠くことで傾斜面３４を構成すれば良い。このようにすると、ハンガー８０等の出し入れを滑らかにできる。図３で示すようにハンガー８０との係合性を優先するか、図４（Ａ）で示すようにハンガー８０の出し入れの円滑性を優先するかは、その目的に応じて適宜選択できる。なお、ここで図示するように、前框部４０の下端面４２には必ずしも傾斜面を形成する必要はない。
【００２８】
更に図４（Ｂ）に示す他の例のように、段部３０を断面Ｖ字形状の溝にしてもよい。更にまた図４（Ｃ）に示すように、段部３０を断面コ字形状の溝としても良い。この際、段部３０の凹みを前框部３０側に形成しても良く（図中の左側参照）、また棚部２０側に形成手も良い（図中の右側参照）。更に図４（Ｄ）に示すように、段部３０を断面部分円弧形状の溝にしてもよい。この際、段部３０の凹みを前框部３０側に形成しても良く（図中の左側参照）、また棚部２０側に形成手も良い（図中の右側参照）。なお、段部３０を形成する部位は、棚部２０と前框部４０の境界、前框部４０の上端面４８側、棚部２０の上面側のいずれかを任意に選択できる。
【００２９】
また更に、上記実施形態では、棚板１０において、段部３０は載置面２２から下側に凹となるように形成したが、本考案はこれに限定されない。例えば図５（Ａ）に示すように、前框部４０の板部材の上端面４８が、棚部２０の上面から上方に突出することで、棚部２０と前框部４０の境界に段部３０を形成することもできる。これにより、段部３０の前面側３０Ａ（前框部４０の上端面４８側）が高く且つ奥側３０Ｂ（棚部２０の上面側）が低くなる。この構造を採用すると、段部３０による利便性の高い棚板１０を、極めて低コストで製造することが可能となる。なお、この構造においても、前框部４０の下端面４０に傾斜面４６を形成することが好ましいが、勿論、図５（Ｂ）に示すように、傾斜面を形成しなく点も良い。更に、図５（Ｃ）に示すように、前框部２０の上端面４０は、棚部２０の上面と一致させておき、前框部２０の上端面４０に、幅方向Ｗに延びるゴムや樹脂等の突起部材７０を固定することで、段部３０を形成することもできる。
【００３０】
尚、本発明の棚板は、上記した実施の形態に限定されるものではなく、本考案の要旨を逸脱しない範囲内において種々変更を加え得ることは勿論である。
【符号の説明】
【００３１】
１      収納室
１０    棚板
２０    棚部
２２    載置面
２８    手前側端面
３０    段部
３２    鉛直面
３４    傾斜面
４０    前框部
４２    下端面
４６    傾斜面
【図１】
0003194860.tif 000003
【図２】
0003194860.tif 000004
【図３】
0003194860.tif 000005
【図４】
0003194860.tif 000006
【図５】
0003194860.tif 000007